【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
画像形成部で第１面に画像形成されたシート材を反転搬送して再度画像形成部へ搬送し、シート材の第２面に画像形成する画像形成装置において、
前記画像形成部によって画像形成されたシート材を、第１方向に搬送した後に、前記第１方向と逆方向の第２方向に搬送する反転搬送を行うシート材反転搬送手段と、
前記画像形成部で画像形成されたシート材を搬送するための第１搬送路と、
前記第１搬送路を搬送されたシート材を再度、前記画像形成部へ搬送するために前記シート材反転搬送手段により反転搬送されるシート材を搬送するための第２搬送路と、
前記第２搬送路で反転搬送されたシート材を前記画像形成部へ搬送するための第３搬送路と、
前記第２搬送路から前記第１搬送路へシート材が進入できないように前記第１搬送路と前記第２搬送路との間を遮断する遮断位置と、前記遮断位置から退避し、前記第１搬送路と前記第２搬送路との間をシート材が通過可能な退避位置とをとり得、前記第１搬送路から前記第２搬送路へシート材が搬送されるときと、前記第２搬送路から前記第３搬送路へとシートが搬送されるときとでシート材の同じ面側と接するガイド手段と、
を有し、
前記ガイド手段は、前記遮断位置に位置することで前記第１搬送路と前記第２搬送路との間を遮断しつつ前記第２方向に前記第２搬送路を搬送されるシート材を前記第３搬送路へガイドし、前記第１搬送路を前記第２搬送路へ搬送されるシート材に押されて前記遮断位置から前記退避位置に移動することを特徴とする画像形成装置。
【請求項２】
前記ガイド手段は、前記第２搬送路を反転搬送されたシート材を前記第３搬送路へガイドするガイド部を有し、
前記シート材反転搬送手段によるシート材の反転は、シート材と前記ガイド部がオーバラップしている状態で行うことを特徴とする請求項１記載の画像形成装置。
【請求項３】
一定方向に回転する第１回転体と、
前記第１回転体に当接し、前記第１回転体と共に、第１面に画像形成されたシート材を前記シート材反転搬送手段に向けて挟持して搬送する第２回転体と、
前記第１回転体に前記第２回転体よりも第１回転体の回転方向の下流側で当接し、前記第１回転体と共に、前記シート材反転搬送手段により反転搬送されるシート材を前記第３搬送路に向けて挟持して搬送する第３回転体とを有することを特徴とする請求項１又は請求項２に記載の画像形成装置。
【請求項４】
前記第２搬送路は開放可能であり、前記第１回転体と前記第２回転体により開放した第２搬送路から装置外へシート材を排出可能であり、
前記第２搬送路が開放された状態で、前記第１回転体と前記第２回転体との当接位置よりシート材搬送方向の下流側で、前記第１回転体とともに前記ガイド手段がシート材を搬送することを特徴とする請求項３記載の画像形成装置。
【請求項５】
前記ガイド手段は、シート材との当接部に回転体を有することを特徴とする請求項１乃至請求項４のいずれか１項に記載の画像形成装置。
【請求項６】
前記ガイド手段は、前記退避位置から前記遮断位置へ、前記ガイド手段の自重またはシート材と前記ガイド手段との摩擦抵抗により揺動することを特徴とする請求項１乃至請求項５のいずれか１項に記載の画像形成装置。
【請求項７】
前記ガイド手段は、
前記第１搬送路と前記第２搬送路との間の位置よりシート材搬送方向上流側を揺動中心として揺動し、前記第１搬送路から前記第２搬送路へ搬送されるシート材によって押されて揺動する第１ガイド部材と、
前記第１ガイド部材の揺動により揺動し、前記第２搬送路を反転搬送されたシート材が前記第１搬送路へ進入できないように前記第１搬送路と前記第２搬送路との間で搬送路を遮断すると共に前記第２搬送路を反転搬送されたシート材を前記第３搬送路へガイドする第２ガイド部材と、
を有することを特徴とする請求項１または請求項６に記載の画像形成装置。
【請求項８】
シート材を搬送するための第１搬送路と、
前記第１搬送路を通過したシート材を第１方向に搬送した後に前記第１方向と逆方向の第２方向に搬送する反転搬送を行うシート材反転搬送手段と、
前記第１搬送路を搬送されたシート材であって前記シート材反転搬送手段によって反転搬送されるシート材を搬送する第２搬送路と、
前記第２搬送路で前記第２方向に前記シート材反転搬送手段で反転搬送されたシート材を搬送するための第３搬送路と、
前記第２搬送路から前記第１搬送路へシート材が進入できないように前記第１搬送路と前記第２搬送路との間で遮断する遮断位置と、前記遮断位置から退避し、前記第１搬送路と前記第２搬送路との間をシート材が通過可能な退避位置とをとり得、前記第１搬送路から前記第２搬送路へシート材が搬送されるときと、前記第２搬送路から前記第３搬送路へとシートが搬送されるときとでシート材の同じ面側と接するガイド手段と、
を有し、
前記ガイド手段は、前記遮断位置に位置することで前記第１搬送路と前記第２搬送路との間を遮断しつつ前記第２方向に前記第２搬送路を搬送されるシート材を前記第３搬送路へガイドし、前記第１搬送路を前記第２搬送路へ搬送されるシート材に押されて前記遮断位置から前記退避位置に移動することを特徴とするシート材搬送装置。
【請求項９】
シート材を搬送するための第１回転体と、
前記第１回転体とで形成した第１ニップでシート材を挟持してシート材を搬送する第２回転体と、
前記第１回転体とで形成した第２ニップでシート材を挟持してシート材を搬送する第３回転体と、
前記第１ニップで挟持されることで搬送されるシート材が導かれ、導かれたシート材を前記第２ニップの方向へ搬送するようにシート材を反転搬送するシート材反転搬送手段と、
前記第２ニップと前記シート材反転搬送手段との間の搬送路に設けられたガイド手段と、を有し、
前記ガイド手段は、前記シート材反転搬送手段によって搬送されるシート材が前記第１ニップに進入できないように前記第１ニップを塞ぐと共に前記第２ニップへ該シート材をガイドし、
前記ガイド手段は、前記１ニップによって前記シート材反転搬送手段へ向けて搬送されるシート材に押されることで前記１ニップと前記シート材反転搬送手段の間を連通させる位置に移動することを特徴とするシート材搬送装置。
【手続補正２】
【補正対象書類名】明細書
【補正対象項目名】００１５
【補正方法】変更
【補正の内容】
【００１５】
上記課題を解決するための本発明における代表的な手段は、画像形成部で第１面に画像形成されたシート材を反転搬送して再度画像形成部へ搬送し、シート材の第２面に画像形成する画像形成装置において、前記画像形成部によって画像形成されたシート材を、第１方向に搬送した後に、前記第１方向と逆方向の第２方向に搬送する反転搬送を行うシート材反転搬送手段と、前記画像形成部で画像形成されたシート材を搬送するための第１搬送路と、前記第１搬送路を搬送されたシート材を再度、前記画像形成部へ搬送するために前記シート材反転搬送手段により反転搬送されるシート材を搬送するための第２搬送路と、前記第２搬送路で反転搬送されたシート材を前記画像形成部へ搬送するための第３搬送路と、前記第２搬送路から前記第１搬送路へシート材が進入できないように前記第１搬送路と前記第２搬送路との間を遮断する遮断位置と、前記遮断位置から退避し、前記第１搬送路と前記第２搬送路との間をシート材が通過可能な退避位置とをとり得、前記第１搬送路から前記第２搬送路へシート材が搬送されるときと、前記第２搬送路から前記第３搬送路へとシートが搬送されるときとでシート材の同じ面側と接するガイド手段と、を有し、前記ガイド手段は、前記遮断位置に位置することで前記第１搬送路と前記第２搬送路との間を遮断しつつ前記第２方向に前記第２搬送路を搬送されるシート材を前記第３搬送路へガイドし、前記第１搬送路を前記第２搬送路へ搬送されるシート材に押されて前記遮断位置から前記退避位置に移動することを特徴とする。
【手続補正３】
【補正対象書類名】明細書
【補正対象項目名】００１６
【補正方法】変更
【補正の内容】
【００１６】
また、本発明は、シート材を搬送するための第１回転体と、前記第１回転体とで形成した第１ニップでシート材を挟持してシート材を搬送する第２回転体と、前記第１回転体とで形成した第２ニップでシート材を挟持してシート材を搬送する第３回転体と、前記第１ニップで挟持されることで搬送されるシート材が導かれ、導かれたシート材を前記第２ニップの方向へ搬送するようにシート材を反転搬送するシート材反転搬送手段と、前記第２ニップと前記シート材反転搬送手段との間の搬送路に設けられたガイド手段と、を有し、前記ガイド手段は、前記シート材反転搬送手段によって搬送されるシート材が前記第１ニップに進入できないように前記第１ニップを塞ぐと共に前記第２ニップへ該シート材をガイドし、前記ガイド手段は、前記１ニップによって前記シート材反転搬送手段へ向けて搬送されるシート材に押されることで前記１ニップと前記シート材反転搬送手段の間を連通させる位置に移動することを特徴とする。